(57)【要約】【課題】機器装柱用Ｌ形アームの倒伏を一時的に防止し、無用な事故の発生を防止する。【解決手段】機器を組付ける水平杆部と該水平杆部に連設した垂直杆部１ａとで成る機器装柱用Ｌ形アーム１の垂直杆部に上下一対の取付金具２，２´を熔接し、該取付金具２，２´をバンド片５によって電柱Ｄに締付る。前記上側取付金具２上に前記垂直杆部１ａに熔接した補助金具７を設ける。そして、補助金具７を前記電柱Ｄに緩く巻き付けた補助バンド片９，９´に組付ける。【選択図】    図２
2005023524.tif 000002
【特許請求の範囲】
【請求項１】
機器を組付ける水平杆部と該水平杆部に連設した垂直杆部とで成る機器装柱用Ｌ形アームの垂直杆部に上下一対の取付金具を熔接し、該取付金具をバンド片によって電柱に締付けた、機器装柱用Ｌ形アームの取付け装置において、前記上側取付金具上に前記垂直杆部に熔接した補助金具を設け、該補助金具を前記電柱に緩く巻き付けた補助バンド片に組付けた、機器装柱用Ｌ形アームの取付装置。
【発明の詳細な説明】
【０００１】
【産業上の利用分野】
本発明は機器装柱用Ｌ形アームの取付け装置に関するものである。
【０００２】
【従来の技術】
信号灯器などの機器を組付ける水平杆部と該水平杆部に連設した垂直杆部とで成る機器装柱用Ｌ形アームを電柱に取付けるには、該Ｌ形アームの垂直杆部に熔接した上下一対の取付金具をバンド片によって電柱に締付ける構造のものが最も簡易な手段として一般に用いられている。
【０００３】
【発明が解決しようとする課題】
しかしながら、前記従来例は、いわば、バンド片によって電柱に締付けた取付金具とＬ形アームが垂直杆部において互いに熔接してあるだけであるため、車の往来或いは地震などによって与えられる永年の振動によって当該熔接部殊に機器の重量を負荷した水平杆部側である上部側の取付金具（の垂直杆部）とＬ形アーム垂直杆部との熔接部に負荷がかかり、該熔接部が破断し、その結果、機器の重量がアームに負荷されることによりアームが倒伏し、きわめて危険な状態になることがある。
【０００４】
本発明は斯様な状況時にＬ形アームの倒伏までの時間を少しでも長く延長させ、無用な事故の発生を防ぐことを目的として創案したものである。
【０００５】
【課題を解決するための手段】
機器を組付ける水平杆部と該水平杆部に連設した垂直杆部とで成る機器装柱用Ｌ形アームの垂直杆部に上下一対の取付金具を熔接し、該取付金具をバンド片によって電柱に締付けた、機器装柱用Ｌ形アームの取付け装置において、前記上側取付金具上に前記垂直杆部に熔接した補助金具を設け、該補助金具を前記電柱に緩く巻き付けた補助バンド片に組付けた構成とする。
【０００６】
【発明の実施の形態】
図面は本発明に係る機器装柱用Ｌ形アームの取付け装置の一実施形態を示し、図１は正面図、図２は図１の一部の拡大欠截図、図３は図２の一部の欠截平面図である。
【０００７】
図示のＬ形アーム１は、機器を組付ける（取付ける）図示省略した水平杆部と該水平杆部に連設した垂直杆部１ａとで成り、垂直杆部１ａを電柱Ｄに取付けて前記水平杆部をいわば片持ち梁状に支持し、該水平杆部に組付けた機器などの荷重を垂直杆部１ａで受けるようにしたものである。
【０００８】
このＬ形アーム１の垂直杆部１ａには上下一対の取付金具２，２´を熔接し、取付け金具２，２´は、鋼板をプレス成形して構成した本体２Ａ，２´Ａの自由端側（電柱Ｄ側）に補強部片２ａ，２´ａを熔接して形成したもので、中央部に適宜の長孔を設けた適宜の輪郭形を備える打抜きプレス成形した鋼板製の素板を、前記長孔を横切るようにしてＵ字状に屈曲して、該屈曲部の中央を開口するようにして互いに一致して連続する欠円状の切欠（前記長孔で成る）３，３´を設けて相対する上下部片２Ａ´，２Ａ´´，２´Ａ´，２´Ａ´´を備えた本体２Ａ，２´Ａを形成し、上下部片の自由端に一対の前記補強部片２ａ，２ａ，２´ａ，２´ａをわたすように熔接して形成したものである。
【０００９】
そして切欠３，３´に前記垂直杆部１ａを係合するようにして切欠３，３´の縁部と垂直杆部１ａの周側を互いに熔接ａするようにして垂直杆部１ａにこれら一対の取付金具２，２´を設けたものである。
【００１０】
取付金具２，２´には先端のなす環状の接続片５ａをバンド支軸４（実施形態は先端にナットを螺合した取付金具２，２´に組付けたボルトで構成するが他の形態でも良い）によって枢着して、一対のバンド片５，５を組付け、該バンド片５，５の基部側の緊締受片５ｂ，５ｂを、緊締ボルト６と緊締ナット７によって互いに締付けて前記取付金具２，２´を電柱Ｄに締付け、前記Ｌ形アーム１を装柱してある（電柱Ｄに取付けてある）。
【００１１】
そして、上側の取付金具２の前記上部片側には、中央部片７ａと該中央部片７ａの両側に相対して連設した側部片７ｂ，７ｂで構成した平面視コの字状の補助金具７を配し、該補助金具７は、下端（中央部片７ａと側片７ｂ，７ｂの下端）を上側の前記取付金具７に熔接ｂすると共に、側部片７ｂ，７ｂの自由端をＬ形アーム１の前記垂直杆部１ａに熔接して垂直杆部１ａと上側の取付金具２の上部片間に配したものである。
【００１２】
この補助金具７部は、補助バンド片９，９´を用いて電柱Ｄに組合わせてある。すなわち、尾端側を第二補助バンド片９´で接続ボルト１１及び接続ナット１２を用いて互いに連結した第一補助バンド片９，９の締付部片９ａ，９ａを、この補助金具７の側部片７ｂ，７ｂの外側に重ね合わせ、該側部片７ｂ，７ｂに相対設した長孔８，８に一方の前記締付部片９ａを通じて組付ボルト１３を貫通させ、他の一方の（バンド片９の）締付部片９ａより突出する組付ボルト１３の先端に組付ナット１４を螺合するようにして電柱Ｄに組合わせてあり、補助金具７を介在して互いに連結した第一補助バンド片９，９とこれらの間に介在させた第二補助バンド片９´は電柱Ｄを巻回した状態で電柱Ｄに対し緩く巻き付けてあり、Ｌ形アーム１を通しての、車の往来や地震などの振動は補助金具７を介して補助バンド片９，９´を通じて電柱Ｄに伝達されないようにしてある。すなわち、前記振動に対して補助バンド片９，９´は電柱Ｄによって規制されないでそれに追従し、その結果、補助金具７とＬ形アーム１（垂直杆部１ａ）や上側取付金具２との熔接部に振動による応力が集中しない状態におかれている。
【００１３】
しかして、車の往来や地震などによってＬ形アーム１が振動すると、その負荷は、垂直杆部１ａとバンド片５，５によって電柱Ｄに緊締された取付金具２，２´との熔接部ａに集中することになり（このとき、補助金具７の熔接部ｂには補助バンド片９，９´を緩くしてあるので振動負荷はない）、Ｌ形アーム１の水平杆部に機器が組付られていることに伴って、永年に渉る振動は上側の取付金具２の熔接部ａに比較的集中し、ついには、当該上側取付金具２の熔接部ａが破断し、その結果、Ｌ形アーム１は自重と機器の重量で倒伏しようとするが、その倒伏しようとする外力が、補助金具７を電柱Ｄに緩く組合わせ巻付けていた補助バンド片９，９´に負荷し、その結果、補助バンド片９，９´は、いわばつっぱって上側の取付金具２（バンド片５）に代って、Ｌ形アーム１（垂直杆部１ａ）を一時的に支持することになり、当該Ｌ形アーム１の倒伏を防ぐのである。
【００１４】
なお、補助バンド片（体）は、実施形態は所謂三片式のものを用いているが、実施形態に限る必要はないし、取付金具２，２´の形態や該金具７，７´を電柱Ｄに締付けるバンド片５，５の構成も同様である。
【００１５】
また、補助金具７は、実施形態では、取付金具２と別体にして熔接手段によって一体的にしてあるが、取付金具２と一体にしたもの（熔接しないで）であっても不都合はなく、要は、電柱Ｄに対して補助バンド片を用いて緩く組付けられる、取付金具に設けた部分がありさえすれば良いのである。
【００１６】
補助金具７の側部片７ｂに設けた長孔８は種々な電柱（鋼管支柱）Ｄに対応させるためである。
【００１７】
【発明の効果】
本発明は前記の通りの構成であるから、車の往来等の、永年に渉る振動によって上側取付金具とＬ形アームとの熔接部が破断したとき、上側取付金具に設けた補助金具を緩く電柱に巻き付けた補助バンド片が機能して、破断によって倒伏しようとするＬ形アームの倒伏を一時的に防ぎ、倒伏によって予想される不測の事故を防ぐことができる。
【図面の簡単な説明】
【図１】正面図。
【図２】図１の一部の拡大欠截図。
【図３】図２の一部の欠截平面図
【符号の説明】
１        Ｌ形アーム
１ａ      垂直杆部
２，２´  取付金具
７        補助金具
９，９´  補助バンド片
【図１】
2005023524.tif 000003
【図２】
2005023524.tif 000004
【図３】
2005023524.tif 000005